(57)【要約】【課題】セルストリングスに対する接続作業性に優れた太陽電池セルの電力出力用リード線を提供する。【解決手段】各セルストリングスの一端側に接続されるセルストリングス接続線２２ａ、２２ｂ、２２ｃと外部接続線２４ａ、２４ｂとは、それぞれを所定のセルストリングスに接続することができるように、セルストリングス接続線２２ａ、２２ｂ、２２ｃにおけるストリングス接続部分を直線状に重ね合わせた状態で、セルストリングス接続線２２ａ、２２ｂ、２２ｃにおける外部接続部分及び外部接続線２４ａ、２４ｂにおけるターミナル接続部側を、ＰＥＴフィルム等の樹脂フィルムによって形成された、絶縁性を有する一対の粘着シート２５によって挟み込むことで、予め、一体化されており、各セルストリングスの他端側に接続されるセルストリングス接続線は、それぞれの端部同士を、樹脂被覆材によって相互に連結することで、予め、一体化されている。【選択図】        図４
2005209985.tif 000002
【特許請求の範囲】
【請求項１】
太陽電池セル同士を直列に接続するセル接続線と、
複数の前記太陽電池セルが前記セル接続線によって直列に接続されたセルストリングス同士を直列に接続するセルストリングス接続線と、
前記セルストリングス接続線によって直列に接続された複数の前記セルストリングスを端子ボックスのターミナルに接続する外部接続線と
を備えた太陽電池セルの電力出力用リード線において、
前記セルストリングス接続線及び前記外部接続線が、前記セルストリングスに接続可能な状態で、予め一体化されていることを特徴とする太陽電池セルの電力出力用リード線。
【請求項２】
太陽電池セル同士を直列に接続するセル接続線と、
複数の前記太陽電池セルが前記セル接続線によって直列に接続されたセルストリングス同士を直列に接続するセルストリングス接続線と
を備えた太陽電池セルの電力出力用リード線において、
複数の前記セルストリングス接続線が、前記セルストリングスに接続可能な状態で、予め一体化されていることを特徴とする太陽電池セルの電力出力用リード線。
【請求項３】
前記セルストリングス接続線及び前記外部接続線は、相互に重ね合わされた状態で一体化されている請求項１に記載の太陽電池セルの電力出力用リード線。
【請求項４】
前記セルストリングス接続線は、前記端子ボックスのターミナルに接続される外部接続部分を有しており、
前記セルストリングス接続線及び前記外部接続線は、前記セルストリングス接続線における前記外部接続部分で一体化されている請求項１または３に記載の太陽電池セルの電力出力用リード線。
【請求項５】
前記セルストリングス接続線における前記外部接続部分及び前記外部接続線は、それぞれが接続される前記端子ボックスの各ターミナルに対応するように、予め、その配線間隔が設定されている請求項４に記載の太陽電池セルの電力出力用リード線。
【発明の詳細な説明】
【技術分野】
【０００１】
この発明は、例えば、太陽電池パネル等に搭載される太陽電池セルの電力出力用リード線に関する。
【背景技術】
【０００２】
太陽電池パネルには、多数の太陽電池セルを、透光性を有する表面保護プレートと裏面保護シートとの間に挟み込んだ状態で、透明な充填接着剤によって封止、一体化したものがあり、こういった太陽電池パネルでは、電力出力用リード線によって、多数の太陽電池セルが直列に接続された状態で、パネルの裏面側に設けられた端子ボックスのターミナルに接続されている。
【０００３】
上述した電力出力用リード線は、太陽電池セル同士を直列に接続する複数のセル接続線と、複数の太陽電池セルがセル接続線によって直列に接続された複数のセルストリングスを直列に接続するセルストリングス接続線と、セルストリングス接続線によって直列に接続された複数のセルストリングスのうち、両端のセルストリングスを端子ボックスのターミナルにそれぞれ接続する外部接続線とを備えており、外部接続線は、裏面保護シートを貫通して外部に引き出されている。
【０００４】
外部接続線が接続される各セルストリングスの一端側において、セルストリングス同士を接続するセルストリングス接続線は、太陽電池セル同士を直列に接続しているセル接続線等が断線した場合でも、太陽電池セルによって発電された電力を取り出すことができるように、端子ボックスのターミナルに接続される外部接続部分を有しており、この外部接続部分は、外部接続線と同様に、裏面保護シートを貫通して外部に引き出されるようになっている。
【０００５】
ところで、こういった太陽電池パネルを製造する際は、例えば、図９（ａ）に示すように、複数の太陽電池セル６１がセル接続線７１によって直列に接続された複数のセルストリングス６２〜６９を表面保護プレート５１の上（内面）に並べた状態で、各セルストリングス６２〜６９の一端側において、同図（ｂ）に示すように、両端のセルストリングス６２、６９に、図１１（ａ）に示すような外部接続線７６ａ、７６ｂを接続した後、図１０（ａ）に示すように、端から２列目のセルストリングス６３、６８と、端から３列目のセルストリングス６４、６７とを、図１１（ｂ）に示すようなセルストリングス接続線７２ａ、７２ｂによってそれぞれ接続し、図１０（ｂ）に示すように、中央に位置しているセルストリングス６５、６６を、図１１（ｃ）に示すようなセルストリングス接続線７３によって接続する。
【０００６】
また、図１２に示すように、各セルストリングス６２〜６９の他端側において、両端のセルストリングス６２、６９と端から２列目のセルストリングス６３、６８とは、セルストリングス接続線７４ａ、７４ｂによってそれぞれ接続すると共に、端から３列目のセルストリングス６４、６７と、端から４列目のセルストリングス６５、６６とは、セルストリングス接続線７５ａ、７５ｂによってそれぞれ接続することになる。
【０００７】
【特許文献１】特開平１０−２８１５６２号公報
【特許文献２】特開平１１−３２５６１０号公報
【発明の開示】
【発明が解決しようとする課題】
【０００８】
しかしながら、セルストリングス接続線７２ａ〜７５ｂや外部接続線７６ａ、７６ｂをセルストリングス６２〜６９に接続する際は、それぞれのセルストリングス６２〜６９から導出されているセル接続線７１を、セルストリングス接続線７２ａ〜７５ｂや外部接続線７６ａ、７６ｂに半田付けすることになるので、半田付けによる接続を確実に行うためには、図９、図１０及び図１２に示すように、それぞれのセルストリングス接続線７２ａ〜７５ｂや外部接続線７６ａ、７６ｂを、粘着テープＡＴ等を用いて、個別に所定位置に仮止めしておかなければならず、セルストリングス６２〜６９に対するセルストリングス接続線７２ａ〜７５ｂや外部接続線７６ａ、７６ｂの接続作業性が悪いといった問題がある。
【０００９】
そこで、この発明の課題は、セルストリングスに対する接続作業性に優れた太陽電池セルの電力出力用リード線を提供することにある。
【課題を解決するための手段】
【００１０】
上記の課題を解決するため、請求項１にかかる発明は、太陽電池セル同士を直列に接続するセル接続線と、複数の前記太陽電池セルが前記セル接続線によって直列に接続されたセルストリングス同士を直列に接続するセルストリングス接続線と、前記セルストリングス接続線によって直列に接続された複数の前記セルストリングスを端子ボックスのターミナルに接続する外部接続線とを備えた太陽電池セルの電力出力用リード線において、前記セルストリングス接続線及び前記外部接続線が、前記セルストリングスに接続可能な状態で、予め一体化されていることを特徴とする太陽電池セルの電力出力用リード線を提供するものである。
【００１１】
また、上記の課題を解決するため、請求項２にかかる発明は、太陽電池セル同士を直列に接続するセル接続線と、複数の前記太陽電池セルが前記セル接続線によって直列に接続されたセルストリングス同士を直列に接続するセルストリングス接続線とを備えた太陽電池セルの電力出力用リード線において、複数の前記セルストリングス接続線が、前記セルストリングスに接続可能な状態で、予め一体化されていることを特徴とする太陽電池セルの電力出力用リード線を提供するものである。
【００１２】
また、請求項３にかかる発明は、請求項１にかかる発明の太陽電池セルの電力出力用リード線において、前記セルストリングス接続線及び前記外部接続線を、相互に重ね合わせた状態で一体化したものである。
【００１３】
また、請求項４にかかる発明は、請求項１または３にかかる発明の太陽電池セルの電力出力用リード線において、前記セルストリングス接続線は、前記端子ボックスのターミナルに接続される外部接続部分を有しており、前記セルストリングス接続線及び前記外部接続線を、前記セルストリングス接続線における前記外部接続部分で一体化したものである。
【００１４】
また、請求項５にかかる発明は、請求項４にかかる発明の太陽電池セルの電力出力用リード線において、前記セルストリングス接続線における前記外部接続部分及び前記外部接続線は、それぞれが接続される前記端子ボックスの各ターミナルに対応するように、予め、その配線間隔を設定したものである。
【発明の効果】
【００１５】
以上のように、請求項１にかかる発明の太陽電池セルの電力出力用リード線は、セルストリングス接続線及び外部接続線が、セルストリングスに接続可能な状態で、予め一体化されているので、セルストリングス接続線や外部接続線をセルストリングスに接続する際は、一体化されたセルストリングス接続線及び外部接続線の全体を、粘着テープ等を用いて、所定位置に仮止めすれば、それぞれのセルストリングス接続線や外部接続線がセルストリングスに接続可能な所定位置に確実に位置決めされることになる。
【００１６】
従って、セルストリングス接続線や外部接続線をセルストリングスに接続する際、それぞれのセルストリングス接続線や外部接続線毎に、粘着テープ等を用いて仮止めしなければならなかった従来の太陽電池セルの電力出力用リード線に比べて、粘着テープ等による固定個所が大幅に少なくなると共にセルストリングス接続線や外部接続線の位置ずれも少なくなるので、セルストリングスに対する接続作業性及び品質の向上を図ることができる。
【００１７】
また、請求項２にかかる発明の太陽電池セルの電力出力用リード線は、複数のセルストリングス接続線が、セルストリングスに接続可能な状態で、予め一体化されているので、セルストリングス接続線をセルストリングスに接続する際は、一体化された複数のセルストリングス接続線全体を、粘着テープ等を用いて、所定位置に仮止めすれば、それぞれのセルストリングス接続線がセルストリングスに接続可能な所定位置に確実に位置決めされることになる。
【００１８】
従って、セルストリングス接続線をセルストリングスに接続する際、それぞれのセルストリングス接続線毎に、粘着テープ等を用いて仮止めしなければならなかった従来の太陽電池セルの電力出力用リード線に比べて、粘着テープ等による固定個所が少なくなると共にセルストリングス接続線の位置ずれも少なくなるので、セルストリングスに対する接続作業性及び品質の向上を図ることができる。
【００１９】
また、請求項３にかかる発明の太陽電池セルの電力出力用リード線は、セルストリングス接続線及び外部接続線が、相互に重ね合わされた状態で一体化されているので、セルストリングス接続線及び外部接続線の占有領域を最小限に抑えることができる。
【００２０】
また、請求項４にかかる発明の太陽電池セルの電力出力用リード線は、セルストリングス接続線が、端子ボックスのターミナルに接続される外部接続部分を有しており、セルストリングス接続線及び外部接続線が、セルストリングス接続線における外部接続部分で一体化されているので、セルストリングスに接続したセルストリングス接続線の外部接続部分と外部接続線とを同時に端子ボックスまで導くことができ、配線作業性が向上する。
【００２１】
また、請求項５にかかる発明の太陽電池セルの電力出力用リード線は、セルストリングス接続線における外部接続部分及び外部接続線が、端子ボックスの各ターミナルに対応するように、予め、その配線間隔が設定されているので、セルストリングス接続線における外部接続部分及び外部接続線を端子ボックスのターミナルに接続する際、セルストリングス接続線における外部接続部分や外部接続線が端子ボックスのターミナルに同時に位置決めされ、ターミナルに対する接続作業性が向上する。
【発明を実施するための最良の形態】
【００２２】
以下、実施の形態について図面を参照して説明する。図１及び図２は、太陽光を利用して発電を行う太陽光発電モジュール１を示している。この太陽光発電モジュール１は、太陽電池パネル１０をフレーム３０に装着したものであり、太陽電池パネル１０は、その裏面側に取り付けられた端子ボックス１５を有している。
【００２３】
前記太陽電池パネル１０は、図１〜図３に示すように、マトリックス状に配置された多数の太陽電池セル１１が、白板強化ガラス等からなる透光性を有する表面保護プレート１２と、ポリフッ化ビニル樹脂フィルム等によって形成された裏面保護シート１３との間に挟み込まれた状態で、エチレンビニルアセテート（ＥＶＡ）からなる透明な充填接着剤１４によって封止、一体化されたものであり、多数の太陽電池セル１１は、電力出力用リード線２０によって直列に接続された状態で、裏面保護シート１３に取り付けられた端子ボックス１５のターミナル１６に接続されている。
【００２４】
前記電力出力用リード線２０は、図４（ａ）、（ｂ）及び図５（ａ）〜（ｃ）に示すように、太陽電池セル１１同士を直列に接続してセルストリングス１１１〜１１８を形成する複数のセル接続線２１と、複数のセルストリングス１１１〜１１８を直列に接続するセルストリングス接続線２２ａ、２２ｂ、２２ｃ、２３ａ、２３ｂ、２３ｃ、２３ｄと、セルストリングス接続線２２ａ〜２３ｄによって直列に接続された複数のセルストリングス１１１〜１１８のうち、両端に位置しているセルストリングス１１１、１１８を端子ボックス１５のターミナル１６にそれぞれ接続する外部接続線２４ａ、２４ｂとを備えており、セルストリングス接続線２２ａ〜２３ｄ及び外部接続線２４ａ、２４ｂは、各セルストリングス１１１〜１１８における両端に位置している太陽電池セル１１から導出されたセル接続線２１や端子ボックス１５のターミナル１６に半田付けされるようになっている。
【００２５】
各セルストリングス１１１〜１１８の一端側に接続されるセルストリングス接続線２２ａ、２２ｂ、外部接続線２４ａ、２４ｂ及びセルストリングス接続線２２ｃは、図５（ａ）〜（ｃ）に示すように、接続部付近を除いて樹脂被覆されたＬ字状の被覆リボン線及びＴ字状の裸リボン線によって、また、各セルストリングス１１１〜１１８の他端側に接続されるセルストリングス接続線２３ａ〜２３ｄは、図４（ｂ）に示すように、直線状の裸リボン線によってそれぞれ形成されており、セルストリングス接続線２２ａ、２２ｂ、２２ｃは、セルストリングス同士を相互に接続するストリングス接続部分αと、太陽電池セル１１同士を直列に接続しているセル接続線２１等が断線した場合でも、図示しないダイオードとの協働作用によって太陽電池セル１１によって発電された電力を取り出すことができるように、端子ボックス１５のターミナル１６に接続される外部接続部分βとを備えている。
【００２６】
セルストリングス接続線２２ａ、２２ｂ、２２ｃと外部接続線２４ａ、２４ｂとは、図４（ａ）及び図６に示すように、それぞれを所定のセルストリングスに接続することができるように、セルストリングス接続線２２ａ、２２ｂ、２２ｃにおけるストリングス接続部分αを直線状に重ね合わせた状態で、セルストリングス接続線２２ａ、２２ｂ、２２ｃにおける外部接続部分β及び外部接続線２４ａ、２４ｂにおけるターミナル接続部側γを、ポリエチレンテレフタレートフィルム等の樹脂フィルムによって形成された、絶縁性を有する一対の粘着シート２５によって挟み込むことで、予め、一体化されており、前記セルストリングス接続線２３ａ〜２３ｄは、図４（ｂ）に示すように、それぞれの端部同士を、樹脂被覆材２６によって相互に連結することで、予め、一体化されている。
【００２７】
また、一対の粘着シート２５によって挟み込まれたセルストリングス接続線２２ａ、２２ｂ、２２ｃにおけるそれぞれの外部接続部分β及び外部接続線２４ａ、２４ｂのターミナル接続部側γは、端子ボックス１５の各ターミナル１６に対応するように、その配線間隔が設定されており、図６に二点鎖線で示すように、粘着シート２５から突出した部分を、同図に実線で示すように、粘着シート２５の先端縁において９０度屈曲させることによって、セルストリングス接続線２２ａ、２２ｂ、２２ｃの外部接続部分β及び外部接続線２４ａ、２４ｂのターミナル接続部側γが、裏面保護シート１３に形成されたスリットから引き出され、端子ボックス１５内に導入されるようになっている。
【００２８】
以上のように構成された太陽電池パネル１０を製造するには、まず、図７（ａ）に示すように、表面保護プレート１２の上（内面）側に、加熱したときに溶融して充填接着剤１４となるＥＶＡシート１４ａを重ね合わせ、そのＥＶＡシート１４ａの上に、複数の太陽電池セル１１がセル接続線２１によって接続された各セルストリングス１１１〜１１８を並べ、一体化されたセルストリングス接続線２２ａ、２２ｂ、２２ｃ及び外部接続線２４ａ、２４ｂを、各セルストリングス１１１〜１１８の一端側における所定位置に配置し、粘着テープＡＴ１、ＡＴ２を用いて、それぞれの外部接続線２４ａ、２４ｂをＥＶＡシート１４ａに仮止めすると共に、粘着テープＡＴ３を用いて、粘着シート２５部分を太陽電池セル１１に仮止めすると、セルストリングス接続線２２ａ、２２ｂ、２２ｃ及び外部接続線２４ａ、２４ｂにおける樹脂被覆されていない裸リボン線部分に、各セルストリングス１１１〜１１８の太陽電池セル１１から導出されたセル接続線２１が重なるので、その裸リボン線部分にセル接続線２１を半田付けする。
【００２９】
続いて、図７（ｂ）に示すように、一体化されたセルストリングス接続線２３ａ〜２３ｄを、各セルストリングス１１１〜１１８の他端側の所定位置に配置し、粘着テープＡＴ４、ＡＴ５を用いて、セルストリングス接続線２３ａ〜２３ｄを相互に連結している樹脂被覆材２６部分をＥＶＡシート１４ａに仮止めすると、裸リボン線によって形成されている各セルストリングス接続線２３ａ〜２３ｄに、各セルストリングス１１１〜１１８の太陽電池セル１１から導出されたセル接続線２１が重なるので、各セルストリングス接続線２３ａ〜２３ｄにセル接続線２１を半田付けする。
【００３０】
このようにして、各セルストリングス１１１〜１１８が電力出力用リード線２０によって直列に接続されると、図８に示すように、その上に、ＥＶＡシート１４ｂ及び裏面保護シート１３を順次重ね合わせるが、このとき、粘着シート２５の先端縁において９０度屈曲させてあるセルストリングス接続線２２ａ、２２ｂ、２２ｃの外部接続部分β及び外部接続線２４ａ、２４ｂのターミナル接続部側γを、ＥＶＡシート１４ｂや裏面保護シート１３に形成されたスリットＳ１、Ｓ２から引き出しておく。
【００３１】
そして、これを、表面保護プレート１２及び裏面保護シート１３の双方から熱圧すると、ＥＶＡシート１４ａ、１４ｂが溶融して充填接着剤１４となり、セルストリングス１１１〜１１８及び電力出力用リード線２０が表面保護プレート１２と裏面保護シート１３との間に挟み込まれた状態で、充填接着剤１４によって封止、一体化された太陽電池パネル１０が出来上がる。
【００３２】
最後に、裏面保護シート１３から引き出されたセルストリングス接続線２２ａ、２２ｂ、２２ｃの外部接続部分β及び外部接続線２４ａ、２４ｂのターミナル接続部側γを、開口部１５ａから内部に導入するようにして、端子ボックス１５を裏面保護シート１３に密着固定した後、図３に示すように、端子ボックス１５のターミナル１６に、セルストリングス接続線２２ａ、２２ｂ、２２ｃの外部接続部分β及び外部接続線２４ａ、２４ｂのターミナル接続部側γを半田付けする。
【００３３】
以上のように、この太陽電池セルの電力出力用リード線２０は、セルストリングス接続線２２ａ、２２ｂ、２２ｃ及び外部接続線２４ａ、２４ｂが、セルストリングス１１１〜１１８に接続可能な状態で一体化されていると共に、セルストリングス接続線２３ａ〜２３ｄが、セルストリングス１１１〜１１８に接続可能な状態で一体化されているので、セルストリングス接続線２２ａ〜２３ｄや外部接続線２４ａ、２４ｂをセルストリングス１１１〜１１８に接続する際は、一体化されたセルストリングス接続線２２ａ、２２ｂ、２２ｃ及び外部接続線２４ａ、２４ｂや一体化されたセルストリングス接続線２３ａ〜２３ｄの全体を、粘着テープＡＴ１〜ＡＴ５等を用いて、所定位置に仮止めすれば、それぞれのセルストリングス接続線２２ａ〜２３ｄや外部接続線２４ａ、２４ｂがセルストリングス１１１〜１１８に接続可能な所定位置に確実に位置決めされることになる。
【００３４】
従って、セルストリングス接続線２２ａ〜２３ｄや外部接続線２４ａ、２４ｂをセルストリングス１１１〜１１８に接続する際、それぞれのセルストリングス接続線や外部接続線毎に、粘着テープ等を用いて仮止めしなければならなかった従来の太陽電池セルの電力出力用リード線に比べて、粘着テープＡＴ１〜ＡＴ５等による固定個所が大幅に少なくなると共にセルストリングス接続線２２ａ〜２３ｄや外部接続線２４ａ、２４ｂの位置ずれも少なくなるので、セルストリングス１１１〜１１８に対する接続作業性及び品質の向上を図ることができる。
【００３５】
また、この太陽電池セルの電力出力用リード線２０は、セルストリングス接続線２２ａ、２２ｂ、２２ｃと外部接続線２４ａ、２４ｂとが、セルストリングス接続線２２ａ、２２ｂ、２２ｃにおけるストリングス接続部分αを直線状に重ね合わせた状態で一体化されているので、太陽電池パネル１０内におけるセルストリングス接続線２２ａ、２２ｂ、２２ｃ及び外部接続線２４ａ、２４ｂの占有領域を最小限に抑えることができる。これによって、パネル全体に対する太陽電池セル１１の設置面積を大きくすることができ、パネル１枚当りの発電能力を高めることができる。
【００３６】
また、この太陽電池セルの電力出力用リード線２０は、セルストリングス接続線２２ａ、２２ｂ、２２ｃ及び外部接続線２４ａ、２４ｂが、セルストリングス接続線２２ａ、２２ｂ、２２ｃにおける外部接続部分β及び外部接続線２４ａ、２４ｂにおけるターミナル接続部側γを一対の粘着シート２５で挟み込むことによって、一体化されているので、セルストリングス１１１〜１１８に接続したセルストリングス接続線２２ａ、２２ｂ、２２ｃにおける外部接続部分βと外部接続線２４ａ、２４ｂにおけるターミナル接続部側γとを一体的に端子ボックス１５まで導くことができ、配線作業性が向上する。
【００３７】
しかも、セルストリングス接続線２２ａ、２２ｂ、２２ｃにおける外部接続部分β及び外部接続線２４ａ、２４ｂにおけるターミナル接続部側γは、端子ボックス１５の各ターミナル１６に対応するように、その配線間隔が設定されているので、セルストリングス接続線２２ａ、２２ｂ、２２ｃにおける外部接続部分β及び外部接続線２４ａ、２４ｂにおけるターミナル接続部側γを端子ボックス１５の各ターミナル１６に接続する際、セルストリングス接続線２２ａ、２２ｂ、２２ｃにおける外部接続部分βや外部接続線２４ａ、２４ｂにおけるターミナル接続部側γが端子ボックス１５の各ターミナル１６に同時に位置決めされ、セルストリングス接続線２２ａ、２２ｂ、２２ｃや外部接続線２４ａ、２４ｂのターミナル１６に対する接続作業性が向上する。
【００３８】
なお、上述した実施形態では、セルストリングス接続線２２ａ、２２ｂ、２２ｃ及び外部接続線２４ａ、２４ｂとして、被覆リボン線を使用しているが、これに限定されるものではなく、裸リボン線を使用することも可能である。その場合は、直線状に重なり合うセルストリングス接続線２２ａ、２２ｂ、２２ｃにおけるストリングス接続部分αを絶縁するために、セルストリングス接続線２２ａ、２２ｂと外部接続線２４ａ、２４ｂとの間や、セルストリングス接続線２２ａ、２２ｂとセルストリングス接続線２２ｃとの間に絶縁シートを挟み込んだ状態で一体化しなければならないことはいうまでもない。
【００３９】
また、上述した実施形態では、セルストリングス接続線２２ａ〜２３ｄ及び外部接続線２４ａ、２４ｂとして、リボン線を使用しているが、これに限定されるものではなく、種々の形態の電線を使用することが可能である。
【００４０】
また、上述した実施形態では、セルストリングス接続線２２ａ、２２ｂ、２２ｃ及び外部接続線２４ａ、２４ｂが、セルストリングス接続線２２ａ、２２ｂ、２２ｃにおける外部接続部分β及び外部接続線２４ａ、２４ｂにおけるターミナル接続部側γで一体化されているが、これに限定されるものではなく、直線状に重なり合っているセルストリングス接続線２２ａ、２２ｂ、２２ｃにおけるストリングス接続部分αで一体化することも可能であり、双方で一体化してもよい。特に、セルストリングス接続線２２ａ、２２ｂ、２２ｃが外部接続部分を有していない場合は、少なくとも、ストリングス接続部分で一体化しておく必要があることはいうまでもない。
【図面の簡単な説明】
【００４１】
【図１】この発明にかかる太陽電池セルの電力出力用リード線の一実施形態が使用されている太陽電池パネルを備えた太陽光発電モジュールを示す平面図である。
【図２】同上の太陽光発電モジュールを示す裏面図である。
【図３】同上の太陽光発電モジュールを示す部分断面図である。
【図４】（ａ）は同上の電力出力用リード線を構成しているセルストリングス接続線及び外部接続線が一体化された状態を示す平面図、（ｂ）は同上の電力出力用リード線を構成している他のセルストリングス接続線が一体化された状態を示す平面図である。
【図５】（ａ）は同上の外部接続線を示す平面図、（ｂ）、（ｃ）は同上の外部接続線と一体化されるセルストリングス接続線を示す平面図である。
【図６】一体化された同上のセルストリングス接続線及び外部接続線を示す部分拡大平面図である。
【図７】（ａ）、（ｂ）は同上の太陽電池パネルの製造工程を示す工程図である。
【図８】同上の太陽電池パネルの製造工程を示す工程図である。
【図９】（ａ）、（ｂ）は従来の電力出力用リード線によるセルストリングスの接続方法を示す工程図である。
【図１０】（ａ）、（ｂ）は従来の電力出力用リード線によるセルストリングスの接続方法を示す工程図である。
【図１１】（ａ）は従来の電力出力用リード線を構成している外部接続線を示す平面図、（ｂ）、（ｃ）は同上の電力出力用リード線を構成しているセルストリングス接続線を示す平面図である。
【図１２】従来の電力出力用リード線によるセルストリングスの接続方法を示す工程図である。
【符号の説明】
【００４２】
１  太陽光発電モジュール
１０  太陽電池パネル
１１  太陽電池セル
１１１〜１１８  セルストリングス
１２  表面保護プレート
１３  裏面保護シート
１４  充填接着剤
１４ａ、１４ｂ  ＥＶＡシート
１５  端子ボックス
１６  ターミナル
２０  電力出力用リード線
２１  セル接続線
２２ａ、２２ｂ、２２ｃ  セルストリングス接続線
２３ａ、２３ｂ、２３ｃ、２３ｄ  セルストリングス接続線
２４ａ、２４ｂ  外部接続線
２５  粘着シート
２６  樹脂被覆材
α  ストリングス接続部分
β  外部接続部分
γ  ターミナル接続部側
ＡＴ１〜ＡＴ５  粘着テープ  
【図１】
2005209985.tif 000003
【図２】
2005209985.tif 000004
【図３】
2005209985.tif 000005
【図４】
2005209985.tif 000006
【図５】
2005209985.tif 000007
【図６】
2005209985.tif 000008
【図７】
2005209985.tif 000009
【図８】
2005209985.tif 000010
【図９】
2005209985.tif 000011
【図１０】
2005209985.tif 000012
【図１１】
2005209985.tif 000013
【図１２】
2005209985.tif 000014